(57)【要約】【課題】  位置情報管理とページング処理との効率化を図ることが可能な位置情報統合管理装置、及び、位置情報統合管理方法を提供する。【解決手段】  位置情報統合管理装置１０の時系列位置情報管理部１２は、移動通信網における位置登録処理により取得された位置登録エリア情報と、移動端末８０が備えるＧＰＳ機能により取得されたＧＰＳ位置情報と、を含む移動端末８０の位置情報の履歴を管理する。ページングエリア特定部１４は、時系列位置情報管理部１２が管理している位置情報のうち最新の位置情報に基づいて、ページングエリアを特定する。【選択図】  図１
2006211335.tif 000002
【特許請求の範囲】
【請求項１】
移動通信網における位置登録処理により取得された位置登録エリア情報と、移動端末が備えるＧＰＳ（Global Positioning System）機能により取得されたＧＰＳ位置情報と、を含む前記移動端末の位置情報の履歴を管理する時系列位置情報管理手段と、
前記時系列位置情報管理手段により管理されている最新の位置情報に基づいて、前記移動端末への着信時にページング処理を行うべきページングエリアを特定するページングエリア特定手段と
を備えることを特徴とする位置情報統合管理装置。
【請求項２】
前記移動端末への着信があった場合に、前記ページングエリア特定手段により特定されたページングエリアを、ページング処理を行う外部装置に通知するページングエリア通知手段をさらに備えることを特徴とする
請求項１に記載の位置情報統合管理装置。
【請求項３】
前記ＧＰＳ位置情報を前記位置登録エリア情報に変換する位置情報変換手段をさらに備え、
前記ページングエリア特定手段は、
前記時系列位置情報管理手段により管理されている最新の位置情報がＧＰＳ位置情報である場合に、該ＧＰＳ位置情報を前記位置情報変換手段により前記位置登録エリア情報に変換することを特徴とする
請求項１又は２に記載の位置情報統合管理装置。
【請求項４】
前記位置登録エリア情報で表される位置登録エリアの中心の緯度経度情報と、該位置登録エリアの半径を示すエリア半径情報と、を対応付けた変換テーブルをさらに備え、
前記位置情報変換手段は、前記変換テーブルを用いて前記変換を行うことを特徴とする
請求項３に記載の位置情報統合管理装置。
【請求項５】
前記位置登録エリア情報には、在圏交換機のサービスエリアと、無線制御局のサービスエリアと、無線基地局のサービスエリアと、の少なくとも１を表す識別情報が含まれることを特徴とする
請求項１から４の何れか１項に記載の位置情報統合管理装置。
【請求項６】
前記移動端末の位置情報の取得時刻の差に基づいて、前記移動端末の移動状況を管理する移動状況管理手段をさらに備え、
前記ページングエリア特定手段は、
前記移動状況管理手段により管理されている移動端末の移動状況に基づいて、前記特定するページングエリアの大きさを変化させることを特徴とする
請求項１から５の何れか１項に記載の位置情報統合管理装置。
【請求項７】
前記移動状況管理手段により管理されている前記移動端末の移動状況に基づいて、該移動端末の位置情報が取得される周期を変化させる位置登録周期変更手段をさらに備えることを特徴とする
請求項６に記載の位置情報統合管理装置。
【請求項８】
移動通信網における位置登録処理により取得された位置登録エリア情報と、移動端末が備えるＧＰＳ機能により取得されたＧＰＳ位置情報と、を含む前記移動端末の位置情報の履歴を管理する時系列位置情報管理ステップと、
前記時系列位置情報管理ステップにおいて管理されている最新の位置情報に基づいて、前記移動端末への着信時にページング処理を行うべきページングエリアを特定するページングエリア特定ステップと、
前記ページングエリア特定ステップにおいて特定されたページングエリアでのページング処理を行うページング処理ステップと
を有することを特徴とする位置情報統合管理方法。
【発明の詳細な説明】
【技術分野】
【０００１】
本発明は、移動通信網において利用される移動端末の位置情報を統合的に管理する位置情報統合管理装置、及び、位置情報統合管理方法に関するものである。
【背景技術】
【０００２】
従来、第３世代移動通信網においては、３ＧＰＰ（3rd Generation Partnership Project）で規定されている位置登録処理によって、移動端末の置登録エリアが管理されている（例えば、非特許文献１〜４参照）。通常、位置登録エリアは、ＬＡ（Location Area；ロケーションエリア）又はＲＡ（Routing Area；ルーティングエリア）として定義されている。このＬＡ／ＲＡは、無線基地局のサービスエリアであるセクタ（「セル」ともいう）が複数グループ化されたものである。移動通信網は、移動端末への着信（呼接続要求）があった時に、移動端末が在圏する位置登録エリアに対してページング信号を送信することにより、ページング（移動端末の一斉呼出）処理を行う。以下では、ページング信号が送信されるエリアをページングエリアという。
【０００３】
一方、近年では、ＧＰＳ（Global Positioning System）機能を備えた移動端末が普及してきている。このため、移動端末は自端末の位置情報をＧＰＳ衛星から取得することが可能となり、移動端末のＧＰＳ位置情報を利用した技術が種々提案されてきている（例えば、特許文献１参照）。
【特許文献１】特開２００１−２１１４７４号公報
【非特許文献１】3GPP TS 22.071 V6.5.0“Location management procedures”
【非特許文献２】3GPP TS 23.012 V5.2.0“Location management procedures”
【非特許文献３】3GPP TS 23.171 V3.10.0“Functional stage 2 description of location services in UMTS”
【非特許文献４】3GPP TS 24.008 V6.2.0“Mobile radio interface Layer 3 specification; Core network protocols; Stage 3”
【発明の開示】
【発明が解決しようとする課題】
【０００４】
このように、移動端末によるＧＰＳ位置情報の取得が可能となったため、移動通信網においてページングや呼接続処理を行うために位置登録処理により移動端末の位置登録エリアを取得して管理する処理と、移動端末のＧＰＳ位置情報を取得して管理する処理と、の２つの独立の処理が混在することとなった。つまり、移動通信網は、同一端末の異なる表現形式の位置情報を２重に管理し、別々に処理を行っている。
【０００５】
このため、例えば、ＧＰＳ位置情報の取得処理と移動端末のページング処理とが連続して発生した場合、ＧＰＳ位置情報を用いればページング処理時に移動端末の在圏エリアを狭い範囲で正確に特定できるにも関わらず、移動通信網は、位置登録処理によって取得され管理されている移動端末の位置登録エリアを用いてページングエリアを特定している。このため、広範囲なページング処理を行ってしまい、非効率であるという問題点があった。
本発明は、以上のような課題に鑑みてなされたものであり、位置情報管理とページング処理との効率化を図ることが可能な位置情報統合管理装置、及び、位置情報統合管理方法を提供することを目的とする。
【課題を解決するための手段】
【０００６】
上記課題を解決するために、請求項１に記載の発明は、移動通信網における位置登録処理により取得された位置登録エリア情報と、移動端末が備えるＧＰＳ機能により取得されたＧＰＳ位置情報と、を含む前記移動端末の位置情報の履歴を管理する時系列位置情報管理手段と、前記時系列位置情報管理手段により管理されている最新の位置情報に基づいて、前記移動端末への着信時にページング処理を行うべきページングエリアを特定するページングエリア特定手段とを備えることを特徴とする位置情報統合管理装置を提供する。
【０００７】
この構成によれば、位置情報統合管理装置は、位置登録エリア情報とＧＰＳ位置情報とを含む移動端末の位置情報の履歴を管理し、管理されている最新の位置情報に基づいてページングエリアを特定するため、位置登録エリア情報に加えてＧＰＳ位置情報をページングエリアの特定に容易に利用することができ、位置情報管理とページング処理との効率化を図ることが可能となる。
【０００８】
請求項２に記載の発明は、請求項１に記載の位置情報統合管理装置において、前記移動端末への着信があった場合に、前記ページングエリア特定手段により特定されたページングエリアを、ページング処理を行う外部装置に通知するページングエリア通知手段をさらに備えることを特徴とする。
この構成によれば、外部装置は、ＧＰＳ位置情報を利用して特定されたページングエリアでのページングを行うことができ、ページング処理の効率化を図ることが可能となる。
【０００９】
請求項３に記載の発明は、請求項１又は２に記載の位置情報統合管理装置において、前記ＧＰＳ位置情報を前記位置登録エリア情報に変換する位置情報変換手段をさらに備え、前記ページングエリア特定手段は、前記時系列位置情報管理手段により管理されている最新の位置情報がＧＰＳ位置情報である場合に、該ＧＰＳ位置情報を前記位置情報変換手段により前記位置登録エリア情報に変換することを特徴とする。
この構成によれば、位置情報統合管理装置は、ＧＰＳ位置情報を、ページング処理時に用いられる位置情報の表現形式である位置登録エリア情報に変換することができるため、ページングエリアを容易に特定することが可能となる。
【００１０】
請求項４に記載の発明は、請求項３に記載の位置情報統合管理装置において、前記位置登録エリア情報で表される位置登録エリアの中心の緯度経度情報と、該位置登録エリアの半径を示すエリア半径情報と、を対応付けた変換テーブルをさらに備え、前記位置情報変換手段は、前記変換テーブルを用いて前記変換を行うことを特徴とする。
この構成によれば、位置情報統合管理装置は、変換テーブルを用いて容易にＧＰＳ位置情報を位置登録エリア情報に変換し、容易にページングエリアを特定することができる。
【００１１】
請求項５に記載の発明は、請求項１から４の何れか１項に記載の位置情報統合管理装置において、前記位置登録エリア情報は、在圏交換機のサービスエリアと、無線制御局のサービスエリアと、無線基地局のサービスエリアと、の少なくとも１を表す識別情報で表現されることを特徴とする。
この構成によれば、位置登録エリア情報を従来よりも小さいエリアを表す識別情報で表現することができ、移動端末の位置を高い精度で特定することができる。また、位置登録エリアを様々な大きさで表すことが可能となり、ページング処理等の移動通信網における用途や移動端末の移動状況に応じて、位置登録エリアの大きさを変化させることが可能となる。
【００１２】
請求項６に記載の発明は、請求項１から５の何れか１項に記載の位置情報統合管理装置において、前記移動端末の位置情報の取得時刻の差に基づいて、前記移動端末の移動状況を管理する移動状況管理手段をさらに備え、前記ページングエリア特定手段は、前記移動状況管理手段により管理されている移動端末の移動状況に基づいて、前記特定するページングエリアの大きさを変化させることを特徴とする。
この構成によれば、位置情報統合管理装置は、移動端末の移動状況に基づいて、ページングエリアの大きさを適切な大きさに変化させることができ、効率的なページング処理を行うことが可能となる。
【００１３】
請求項７に記載の発明は、請求項６に記載の位置情報統合管理装置において、前記移動状況管理手段により管理されている前記移動端末の移動状況に基づいて、該移動端末の位置情報が取得される周期を変化させる位置登録周期変更手段をさらに備えることを特徴とする。
この構成によれば、位置情報統合管理装置は、移動端末の移動状況に基づいて、移動端末の位置情報が取得される周期を変化させるため、時系列位置情報管理手段は、移動端末の移動状況に応じて、適切なページングエリアを特定するための位置情報を取得し管理することができる。
【００１４】
請求項８に記載の発明は、移動通信網における位置登録処理により取得された位置登録エリア情報と、移動端末が備えるＧＰＳ機能により取得されたＧＰＳ位置情報と、を含む前記移動端末の位置情報の履歴を管理する時系列位置情報管理ステップと、前記時系列位置情報管理ステップにおいて管理されている最新の位置情報に基づいて、前記移動端末への着信時にページング処理を行うべきページングエリアを特定するページングエリア特定ステップと、前記ページングエリア特定ステップにおいて特定されたページングエリアでのページング処理を行うページング処理ステップとを有することを特徴とする位置情報統合管理方法を提供する。
【００１５】
この方法によれば、位置登録エリア情報とＧＰＳ位置情報とを含む移動端末の位置情報の履歴を管理し、管理されている最新の位置情報に基づいてページングエリアを特定し、特定されたページングエリアでのページング処理を行うため、位置登録エリア情報に加えてＧＰＳ位置情報をページングエリアの特定のために容易に利用することができ、位置情報管理とページング処理との効率化を図ることが可能となる。
【発明の効果】
【００１６】
本発明によれば、位置情報統合管理装置は、位置登録エリア情報とＧＰＳ位置情報とを含む移動端末の位置情報の履歴を管理し、管理されている最新の位置情報に基づいてページングエリアを特定するため、位置登録エリア情報に加えてＧＰＳ位置情報をページングエリアの特定に容易に利用することができ、位置情報管理とページング処理との効率化を図ることが可能となる。
【発明を実施するための最良の形態】
【００１７】
次に、図面を参照しながら、本発明を実施するための実施の形態について説明する。なお、以下の説明において参照する各図においては、他の図と同等部分に同一符号が付されている。
図１には、本発明の実施の形態に係る位置情報統合管理システムの全体構成を示す。同図に示すように、位置情報統合管理システムは、位置情報統合管理装置１０と、３ＧＰＰに準拠した第３世代移動通信網が備える装置であるＨＬＲ（Home Location Register）２０、ＶＬＲ（visitor location register）３０、Ｇ−ＭＳＣ（Gateway Mobile Service Switching Center；関門交換機）４０、Ｌ−ＭＳＣ（Local Mobile Service Switching Center；在圏交換機）５０、ＲＮＣ（Radio Network Controller；無線制御局）６０、ＢＳ(Base Station；無線基地局）７０、移動端末８０、及び、ＧＭＬＣ（Gateway Mobile Location Center）９０と、を含んで構成される。なお、図１においては、移動端末８０を１つのみ図示しているが、実際には複数存在する。
【００１８】
移動端末８０は、ＧＰＳ受信機が搭載された一般的な携帯電話機である。ＧＰＳ受信機は、ＧＰＳ衛星からの信号によってＧＰＳ位置情報を取得するＧＰＳ機能を備えている。移動端末８０は、移動端末８０の識別情報として、ＭＳＩ（Mobile Subscriber Identity；移動機番号）とＭＳＮ（Mobile Subscriber Name；電話番号）とをメモリに記憶している。
ＨＬＲ２０及びＶＬＲ３０は、移動通信サービスに加入契約している加入者の情報と、加入者が所持している移動端末８０の位置情報とを管理する装置である。
ＧＭＬＣ９０は、位置情報提供サービスを行う機能を有する制御局であり、ＳＣＰ（Service Control Point：サービス制御ノード）の役割を果たす。
【００１９】
［位置情報統合管理装置の構成］
位置情報統合管理装置１０は、ＣＰＵ（Central Processing Unit）、記憶装置及び通信インタフェースを含んで構成されており、一般的なコンピュータのハードウェア構成を有している。位置情報統合管理装置１０の記憶装置には、各種演算を実行し、移動端末８０の位置情報を統合して管理するためのソフトウェア（プログラム、データベース等）が記憶されている。
図２には、これらのハードウェア及びソフトウェアにより、位置情報統合管理装置１０に実現される機能構成を示す。同図に示すように、位置情報統合管理装置１０は、位置情報変換部１１と、時系列位置情報管理部１２と、移動状況管理部１３と、ページングエリア特定部１４と、ページングエリア通知部１５と、アクセスインタフェース（Ｉ／Ｆ）部１６と、位置登録周期変更部１８と、位置登録周期管理部１９と、で構成される。以下、各機能について説明する。
【００２０】
［時系列位置情報管理部］
時系列位置情報管理部１２は、移動端末８０の位置情報の履歴を管理する。ここで、移動端末８０の位置情報には、移動通信網における位置登録処理により取得された位置登録エリア情報と、移動端末８０が備えるＧＰＳ機能により取得されたＧＰＳ位置情報と、が含まれる。
具体的な位置情報の管理方法としては、位置登録処理時に、位置情報統合管理装置１０は、ＶＬＲ３０又はＨＬＲ２０から位置情報登録信号の転送を受け付ける。時系列位置情報管理部１２は、当該位置情報登録信号に含まれる位置登録エリア情報を、取得時刻及び位置登録エリア情報の誤差を示す情報と共に、位置情報統合管理装置１０が保持するデータベースに登録する。
【００２１】
ここで、「位置登録エリア情報」とは、従来からＨＬＲ２０やＶＬＲ３０で管理されている情報である。以下では、位置登録エリア情報を「ＶＬＲ／ＨＬＲ位置情報」ともいう。従来においては、位置登録エリア情報は、ＬＡＩ（ロケーションエリア識別子、Location Area Identification）、又は、ＲＡＩ（ルーティングエリア識別子、Routing Area Identification）で表現されていたが、本実施形態においては、位置登録エリア情報は、ＬＡＩと、ＲＡＩと、セクタ識別子（「セクタ番号」ともいう）と、無線制御局識別子（「ＲＮＣ−ＩＤ」ともいう）と、基地局識別子と、の少なくとも１の識別情報で表現される。
【００２２】
「ＬＡＩ」は回線交換に用いられるエリア識別子であり、「ＲＡＩ」はパケット交換に用いられるエリア識別子である。ＬＡＩ／ＲＡＩは、Ｌ−ＭＳＣ５０がカバーするサービスエリアを表す。「セクタ識別子」は、セクタの識別子であり、ＢＳ７０がカバーするサービスエリアを表す。複数のセクタの集合がＬＡ／ＲＡとして定義される。「無線制御局識別子」はＲＮＣ６０の識別子であり、ＲＮＣ６０がカバーするサービスエリアを表す。「基地局識別子」はＢＳ７０の識別子である。なお、ＬＡＩ／ＲＡＩ、セクタ識別子、及び、無線制御局識別子の表現形式は、3GPP TS 23.003 V6.4.0に規定されている。
【００２３】
さらに、時系列位置情報管理部１２は、移動端末８０のＧＰＳ位置情報取得処理を契機に、取得されたＧＰＳ位置情報を、取得時刻及びＧＰＳ位置情報の誤差と共にデータベースに登録する。なお、本実施形態におけるＧＰＳ位置情報取得処理とは、所定のトリガーによって移動端末８０がＧＰＳ機能によりＧＰＳ位置情報を取得し、当該ＧＰＳ位置情報をＶＬＲ３０やＨＬＲ２０に送信する処理をいう。なお、ＧＰＳ位置情報は緯度経度で表される情報であり、表現形式は3GPP TS V23.032 V5.0.0で規定されている。
アクセスインタフェース部１６は、時系列位置情報管理部１２により管理されている位置情報に対して外部からアクセスするためのインタフェースである。
【００２４】
［位置情報変換部］
位置情報変換部１１は、ＧＰＳ位置情報と位置登録エリア情報位置情報とを相互に変換し、位置情報の表現形式を変更する位置情報変換処理を行う。
位置情報変換処理を行う際には、位置情報統合管理装置１０の記憶装置に記憶されている変換テーブル１７が用いられる。この変換テーブル１７は、位置登録エリア情報で表される位置登録エリアの中心の緯度経度情報と、当該位置登録エリアの半径を示すエリア半径情報と、を対応付けたマッピングテーブルである。
【００２５】
図３には、変換テーブル１７のデータ構成の一例を示す。同図に示すように、変換テーブル１７は、「ＬＡＩ」と、ＬＡＩで識別されるＬＡの中心の緯度経度を示す「中心のＧＰＳ位置情報」と、ＬＡの半径を示す「エリア半径」と、「セクタ番号」と、セクタ番号で識別されるセクタの中心の緯度経度を示す「中心のＧＰＳ位置情報」と、セクタの半径を示す「エリア半径」と、を含んで構成される。位置情報変換部１１は、あるＧＰＳ位置情報があるＬＡやあるセクタの範囲内に含まれている場合に、あるＧＰＳ位置情報を、あるＬＡを識別するＬＡＩや、あるセクタを識別するセクタ番号に変換する。
なお、図３に示す変換テーブル１７においては、位置登録エリア情報としてＬＡＩ及びセクタ番号を用いているが、無線制御局識別子や無線基地局識別子等を用いてもよい。
【００２６】
［移動状況管理部］
移動状況管理部１３は、移動端末８０の移動状況を管理する。移動状況管理部１３の機能をより詳細に説明すると、移動状況管理部１３は、移動速度情報管理機能１３２と加速度情報管理機能１３１とを備えている。
移動速度情報管理機能１３２は、移動端末８０の位置情報の取得時刻の差に基づいて算出した移動端末８０の移動速度をデータベースに登録して管理する。また、移動速度情報管理機能１３２は、移動端末８０の移動速度を直接計測することが可能な外部装置から移動端末８０の移動速度情報を受信した場合には、当該受信した移動端末８０の移動速度情報をデータベースに登録して管理する。
【００２７】
加速度情報管理機能１３１は、移動端末８０の位置情報の取得時刻の差に基づいて算出した移動端末８０の加速度をデータベースに登録して管理する。また、加速度情報管理機能１３１は、移動端末８０の加速度を直接計測することが可能な外部装置から移動端末８０の加速度を受信した場合には、当該受信した移動端末８０の加速度をデータベースに登録して管理する。
図４には、時系列位置情報管理部１２及び移動状況管理部１３によりデータベースで管理される情報の一例を示す。時系列位置情報管理部１２によって、図４に示すＬＡＩ、ＬＡＩの誤差、無線基地局識別子、セクタ識別子、ＧＰＳ位置情報、ＧＰＳ位置情報の誤差の履歴が管理される。また、移動状況管理部１３によって、図４に示す加速度及び移動速度の履歴が管理される。
【００２８】
［ページングエリア特定部］
ページングエリア特定部１４は、時系列位置情報管理部１２により管理されている最新の位置情報に基づいて、ページング処理を行うべきページングエリアを特定する。
具体的には、ページングエリア特定部１４は、ＶＬＲ３０又はＨＬＲ２０に対して着信情報呼出信号が送信された時に、ＶＬＲ３０又はＨＬＲ２０からアクセスインタフェース部１６を介して位置情報問合せ信号を受信する。ページングエリア特定部１４は位置情報問合せ信号を受信すると、時系列位置情報管理部１２に管理されている位置情報の履歴の中から最新の位置情報を取得する。ページングエリア特定部１４は、取得した最新の位置情報のデータタイプがＧＰＳ位置情報のデータタイプであった場合に、当該取得したＧＰＳ位置情報を位置情報変換部１１により位置登録エリア情報に変換する。ページングエリア特定部１４は、変換した位置登録エリア情報で表される位置登録エリアをページングエリアとして特定する。ここで、変換テーブル１７において、ＧＰＳ位置情報とセクタとの対応関係を記憶するようにすれば、位置登録エリア情報の最小単位であるセクタ単位でページングエリアを特定することができる。
【００２９】
一方、取得した最新の位置情報のデータタイプが位置登録エリア情報のデータタイプであった場合には、ページングエリア特定部１４は、取得した最新の位置情報で表される位置登録エリアをページングエリアとして特定する。ここで、時系列位置情報管理部１２において、位置登録エリア情報としてセクタ識別子を管理するようにすれば、ページングエリアをセクタ単位で特定することができる。
【００３０】
また、ページングエリア特定部１４は、移動状況管理部１３に管理されている移動端末８０の移動状況に基づいて、ページングエリアを特定するための識別子を変化させることにより、ページングエリアの大きさを変化させる。例えば、ページングエリア特定部１４は、時系列位置情報管理部１２により管理されている移動速度と加速度との少なくとも一方が大きくなるほど、特定するページングエリアを大きくする。すなわち、ページングエリア特定部１４は、ページングエリアを大きくするために、ページングエリアを特定するための識別子を、セクタ識別子→無線制御局識別子→ＬＡＩ／ＲＡＩと、より広いエリアを示す識別子に変更する。
ページングエリア通知部１５は、移動端末８０に対する着信が発生して、ＨＬＲ２０やＶＬＲ３０等の外部装置から移動端末８０の位置情報問合せ信号を受信した場合に、ページングエリア特定部１４により特定されたページングエリアを通知する。
【００３１】
［位置登録周期変更部］
位置登録周期変更部１８は、移動状況管理部１３によって管理されている移動端末８０の移動状況に基づいて、移動端末８０の位置情報の登録がＨＬＲ２０やＶＬＲ３０で行われる周期（時間間隔）、すなわち、時系列位置情報管理部１２が移動端末８０の位置情報を取得する周期（以下、「位置登録周期」という）を変化させる。
【００３２】
位置登録周期変更部１８は、例えば、移動端末８０が所定距離だけ移動する毎に移動端末８０の位置情報の登録が行われるように位置登録周期を変化させる。この所定距離は、無線周波数エリア又はＬ−ＭＳＣ５０がカバーするサービスエリアの半径又は直径に合わせて設定することができる。移動端末８０が所定距離だけ移動する毎に位置情報の登録が行われるようにするために、位置登録周期変更部１８は、移動端末８０の移動速度が高速に変化した場合には、移動端末８０の位置登録周期を今までよりも短い周期に変更する。一方、移動端末８０の移動速度が低速に変化した場合には、位置登録周期変更部１８は、移動端末８０の位置登録周期を今までよりも長い周期に変更する。また、移動端末８０がほとんど移動していない場合には、位置登録周期変更部１８は移動端末８０の位置登録周期を変更しない。
【００３３】
具体的な手順として、位置登録周期変更部１８は、例えば、以下のように位置登録周期を変化させる。
（１）まず、位置登録周期変更部１８は、移動状況管理部１３の加速度情報管理機能１３１で管理されている加速度情報に基づいて、位置登録周期を変更すべきか否かを判定する。
具体的には、現在の加速度情報Ｖiと直近の過去の加速度情報Ｖi-1との差の絶対値が所定値α（αは０以上の整数）以下である場合（すなわち、｜Ｖi−Ｖi-1｜≦αである場合）には、移動端末８０の移動速度の変化が微小であるため、位置登録周期変更部１８は、位置登録周期を変更する必要がないと判断する。
一方、現在の加速度情報Ｖiと直近の過去の加速度情報Ｖi-1との差の絶対値が所定値αを超えている場合（すなわち、｜Ｖi−Ｖi-1｜＞αである場合）には、移動端末８０の移動速度が変化していることになるため、位置登録周期変更部１８は位置登録周期を変更する必要があると判断する。
【００３４】
（２）（１）で位置登録周期を変更する必要があると判断された場合に、位置登録周期変更部１８は、移動状況管理部１３の移動速度情報管理機能１３２で管理されている移動端末８０の移動速度情報に基づいて、変更後の位置登録周期を決定する。例えば、最新の移動端末８０の移動速度情報がＳｍ／分であり、かつ、所定距離Ｘｍ毎に位置情報の登録を行う必要がある場合に、位置登録周期変更部１８は、位置登録周期をＸ／Ｓ分間隔に変更することに決定する。位置登録周期変更部１８は、当該決定した位置登録周期を位置登録周期管理部１９に登録する。また、決定した位置登録周期を移動端末８０に通知する。
【００３５】
位置登録周期管理部１９は、移動端末８０毎の位置登録周期をデータベースに記録して管理する。移動端末８０は、通知された周期で位置情報を移動通信網に送信する。
なお、加速度情報に基づいて位置登録周期を変更すべきか否かを決定する他に、移動通信網のトラヒック状況に基づいて位置登録周期を変更すべきか否かを決定することも可能である。具体的には、位置登録周期変更部１８は、移動通信網のトラヒック状況を取得して、輻輳が発生しているか否かを判定する。輻輳が発生していないと判定された場合には、位置登録周期変更部１８は位置登録周期の変更を行うことに決定する一方、現在輻輳状態であると判定された場合には位置登録周期の変更を行わないことに決定する。
【００３６】
また、以上説明した位置登録周期の変更方法の他に、移動端末８０の移動速度がある閾値を超えたか否かによって、位置登録周期を変更するようにしてもよい。
なお、位置登録周期変更部１８は、移動端末８０の位置登録エリア情報と、ＧＰＳ位置情報と、の両方の位置情報の位置登録周期を変化させてもよいし、一方の位置情報のみの位置登録周期を変化させるようにしてもよい。
【００３７】
（位置情報管理手順）
次に、図５を参照して、時系列位置情報管理部１２が、移動端末８０の位置情報を取得して管理する手順について説明する。
ＨＬＲ２０は、移動端末８０の位置情報を含む位置情報登録信号を外部装置から受信した時に（ステップＳ１１１）、当該位置情報登録信号を位置情報統合管理装置１０に転送する（ステップＳ１２１）。
また、ＶＬＲ３０は、外部装置から位置情報登録信号を受信した時に（ステップＳ１１２）、当該位置情報登録信号を位置情報統合管理装置１０に転送する（ステップＳ１２２）。
【００３８】
また、ＧＭＬＣ９０は、移動端末８０の位置情報を取得した場合に、移動端末８０の位置情報を含む位置情報登録信号を位置情報統合管理装置１０に送信する（ステップＳ１１３）。
位置情報統合管理装置１０の時系列位置情報管理部１２は、受信した位置情報登録信号に含まれる移動端末８０の位置情報を、自装置１０が保持するデータベースに登録する（ステップＳ１３１）。
【００３９】
なお、受信した位置情報登録信号に含まれる位置情報がＧＰＳ位置情報である場合には、当該ＧＰＳ位置情報を位置情報変換部１１により位置登録エリア情報に変換した後に、データベースに登録する場合もある（ステップＳ１３２）。これにより、移動端末８０への着信時に、ＧＰＳ位置情報を位置登録エリア情報に変換する必要がなくなり、着信時の処理効率が向上する。
【００４０】
時系列位置情報管理部１２は、データベースに位置情報を登録した後に、ステップＳ１２１において位置情報登録信号を送信してきたＨＬＲ２０に対して、位置情報登録応答信号を返信する（ステップＳ１４１）。ＨＬＲ２０は、ステップＳ１１１において位置情報登録信号を送信してきた外部装置に対して、位置情報登録応答信号を返信する（ステップＳ１５１）。
【００４１】
また、時系列位置情報管理部１２は、ステップＳ１２２において位置情報登録信号を送信してきたＶＬＲ３０に対して、位置情報登録応答信号を返信する（ステップＳ１４２）。ＶＬＲ３０は、ステップＳ１１２において位置情報登録信号を送信してきた外部装置に対して、位置情報登録応答信号を返信する（ステップＳ１５２）。
また、時系列位置情報管理部１２は、ステップＳ１１３において位置情報登録信号を送信してきたＧＭＬＣ９０に対して、位置情報登録応答信号を返信する（ステップＳ１４３）。
【００４２】
（位置登録処理）
次に、図６を参照して、移動通信網における位置登録処理の手順について説明する。この位置登録処理は、位置登録周期管理部１９で管理されている位置登録周期毎に行われる。
同図に示すように、位置登録処理時に、移動端末８０から、ＢＳ７０、ＲＮＣ６０、Ｌ−ＭＳＣ５０を経由して、ＶＬＲ３０に位置情報登録信号が送信される。ＶＬＲ３０は、当該位置情報登録信号に含まれる位置情報を記憶する。当該位置情報登録信号には、位置情報として、従来からの位置登録エリア情報（ＭＳＩ／ＭＳＮ、及び、ＬＡＩ／ＲＡＩ）に加えて、新たに追加された位置登録エリア情報（移動端末８０が在圏するＲＮＣ６０の無線制御局識別子と、ＢＳ７０のセクタ識別子）、及び、ＧＰＳ位置情報が含まれている。また、ＨＬＲ２０では、位置情報としてＭＳＩ／ＭＳＮとＶＬＲ３０との対応関係を管理する。
【００４３】
この位置登録処理を契機に、位置情報統合管理装置１０にも位置情報が登録される。
なお、新たに追加された情報（無線制御局識別子、セクタ識別子、及び、ＧＰＳ位置情報）は、ＶＬＲ３０で管理せずに、位置情報統合管理装置１０でのみ管理してもよい。また、位置情報登録信号にＢＳ７０の識別子がさらに含まれていてもよい。また、位置登録処理時における位置情報登録信号には、移動端末８０の識別情報（ＭＳＩ／ＭＳＮ）と位置登録エリア情報とが最低限含まれていればよく、ＧＰＳ位置情報が含まれていなくても構わない。
【００４４】
（ＧＰＳ位置情報登録処理）
次に、図７を参照して、ＧＰＳ位置情報の登録処理について説明する。図７に示すＧＰＳ位置情報の登録処理は、位置登録周期管理部１９で管理されている位置登録周期毎、又は、移動通信網がＩＳＰ（Internet Service Provider）等の他ネットワークから、位置情報サービスに用いられる位置情報の取得要求信号を受信した場合に行われる。
ＳＣＰが、位置情報サービスのための位置情報取得要求信号をＩＳＰから受信した場合（ステップＳ２０１）、位置情報取得要求信号を、Ｇ−ＭＳＣ４０、Ｌ−ＭＳＣ５０、ＲＮＣ６０、ＢＳ７０、移動端末８０へと転送する（ステップＳ２０２、Ｓ２０３、Ｓ２０４、Ｓ２０５、Ｓ２０６）。
【００４５】
移動端末８０は位置情報取得要求信号を受信すると、ＭＳＩ／ＭＳＮ、ＬＡＩ／ＲＡＩ、無線制御局識別子、セクタ識別子、及び、ＧＰＳ位置情報を含む位置情報取得要求応答信号を返信する（ステップＳ２０７）。位置情報取得要求応答信号は、ＢＳ７０、ＲＮＣ６０、ＶＬＲ３０へと転送される（ステップＳ２０８、Ｓ２０９）。ＶＬＲ３０は、位置情報取得要求応答信号に含まれる位置情報をメモリに登録する。その後、位置情報取得要求応答信号は、ＶＬＲ３０からＧ−ＭＳＣ４０、ＳＣＰ、ＩＳＰへと転送される（ステップＳ２１０、Ｓ２１１、Ｓ２１２）。ＨＬＲ２０では、位置情報として、ＭＳＩ／ＭＳＮとＶＬＲ３０との対応関係を管理する。以上のＧＰＳ位置情報の登録処理を契機に、位置情報統合管理装置１０にもＧＰＳ位置情報が登録される。
【００４６】
なお、位置情報取得要求応答信号にＢＳ７０の識別子が含まれるようにしてもよい。また、ＧＰＳ位置情報登録処理時における位置情報取得要求応答信号には、移動端末８０の識別情報（ＭＳＩ／ＭＳＮ）とＧＰＳ位置情報とが最低限含まれていればよく、位置登録エリア情報（ＬＡＩ／ＲＡＩ、無線制御局識別子、及び、セクタ識別子）は含まれていなくても構わない。また、ＧＰＳ位置情報は、位置情報統合管理装置１０でのみ管理されていてもよい。
このように、ＩＳＰ等の他ネットワークからの位置情報サービス要求を受けた位置情報統合管理システムは、移動端末８０及びＢＳ７０と連携して、ＧＰＳ位置情報を取得することができる。
【００４７】
（移動端末の移動状況管理）
次に、図８を参照して、移動状況管理部１３による移動端末８０の移動状況管理について説明する。
移動状況管理部１３の移動速度情報管理機能１３２は、移動端末８０の移動速度情報を含む移動速度情報通知信号を外部装置から直接受信した場合に（ステップＳ３０１）、当該移動速度情報通知信号に含まれる移動端末８０の移動速度情報をデータベースに登録する（ステップＳ３０２）。
【００４８】
また、移動速度情報管理機能１３２は、移動端末８０の移動速度情報を直接受信することができない場合には、移動端末８０の移動速度を計算する。具体的には、移動速度情報管理機能１３２は、移動端末８０の新たな位置情報を外部装置から受信した時に、当該位置情報の取得時刻と、時系列位置情報管理部１２で管理されている最新の位置情報の取得時刻との差に基づいて、移動端末８０の移動速度を計算する（計算式は、位置情報の距離の差／位置情報の取得時刻の差）。移動速度情報管理機能１３２は、当該計算した移動速度の情報をデータベースに登録する（ステップＳ３０３）。
【００４９】
加速度情報管理機能１３１は、移動端末８０の加速度情報を含む加速度情報通知信号を外部装置から直接受信した場合に（ステップＳ３０４）、当該加速度情報通知信号に含まれる移動端末８０の加速度情報をデータベースに登録する（ステップＳ３０５）。
なお、加速度情報管理機能１３１は、移動端末８０の加速度情報を直接受信することができない場合には、移動端末８０の加速度を計算する場合もある。具体的には、加速度情報管理機能１３１は、移動端末８０の新たな位置情報を外部装置から受信した時に、当該位置情報の取得時刻と、時系列位置情報管理部１２で管理されている最新の位置情報の取得時刻との差に基づいて、移動端末８０の加速度を計算する（算出式は、位置情報の距離の差／位置情報の取得時刻の差の２乗）。加速度情報管理機能１３１は、当該算出した加速度の情報をデータベースに登録する。
【００５０】
（着信情報呼出信号受信時の処理）
次に、図９を参照して、移動端末８０への着信時に、ＨＬＲ２０又はＶＬＲ３０が着信情報呼出信号を受信した場合の処理手順について説明する。
まず、ＨＬＲ２０は、着信情報呼出信号を受信した場合に（ステップＳ４０１）、位置情報統合管理装置１０に位置情報問合せ信号を送信する（ステップＳ４０２）。
位置情報統合管理装置１０が位置情報問合せ信号を受信すると、時系列位置情報管理部１２はデータベースから時間的に最新の位置情報を読み出す（ステップＳ４０３１）。
【００５１】
ページングエリア特定部１４は、データベースから読み出された最新の位置情報に基づいてページングエリアを特定する。具体的には、ページングエリア特定部１４は、読み出された最新の位置情報のデータタイプがＧＰＳ位置情報タイプか否かを判定する（ステップＳ４０３２）。位置情報データタイプがＧＰＳ位置情報タイプである場合には（ステップＳ４０３２；Ｙｅｓ）、ページングエリア特定部１４は、位置情報変換部１１によってＧＰＳ位置情報をＶＬＲ／ＨＬＲ位置情報（ＬＡＩ／ＲＡＩ、ＲＮＣ−ＩＤ、及び、セクタ識別子）に変換する（ステップＳ４０３３）。一方、読み出された最新の位置情報のデータタイプが既にＶＬＲ／ＨＬＲ位置情報タイプである場合には（ステップＳ４０３２；Ｎｏ）、位置情報の変換処理を行わずに、読み出された最新の位置情報で表される位置登録エリアをページングエリアとして特定する。
【００５２】
なお、ページングエリア特定部１４は、効率的なページング処理を行うために、できるだけ小さいページングエリアを特定するが、移動状況管理部１３により管理されている移動端末８０の移動状況に基づいて、特定するページングエリアの大きさを変化させる場合もある。例えば、移動端末８０の移動速度又は加速度が予め定められた第１のしきい値以上である場合には、ページングエリアを大きくするために、ページングエリア特定部１４はＬＡＩ／ＲＡＩ単位でページングエリアを特定する。具体的には、ページングエリア特定部１４は、データベースから読み出された最新の位置情報に、例えば、ＬＡＩ／ＲＡＩとＲＮＣ−ＩＤとセクタ識別子とが含まれていた場合に、位置登録エリアの最大単位であるＬＡＩ／ＲＡＩをページングエリアの識別子として選択する。また、ページングエリア特定部１４は、データベースから読み出された最新の位置情報がＧＰＳ位置情報であった場合に、当該ＧＰＳ位置情報を位置情報変換部１１によりＬＡＩ／ＲＡＩに変換し、当該ＬＡＩ／ＲＡＩをページングエリアの識別子とする。一方、移動端末８０の移動速度又は加速度が第１のしきい値未満かつ第２のしきい値以上であった場合には、ページングエリア特定部１４は、ページングエリアをＲＮＣ−ＩＤ単位で特定する。一方、移動端末８０の移動速度又は加速度が第２のしきい値未満であった場合には、ページングエリア特定部１４は、ページングエリアを位置登録エリアの最小単位であるセクタ単位で特定する。
【００５３】
ページングエリア通知部１５は、ページングエリア特定部１４により特定されたページングエリアについての情報（ＬＡＩ／ＲＡＩ、ＲＮＣ−ＩＤ、及び、セクタ識別子）を位置情報問合せ応答信号に設定し、アクセスインタフェース部１６を介してＨＬＲ２０に通知する（ステップＳ４０４）。
ＨＬＲ２０は、ページングエリアについての情報を着信情報呼出応答信号に設定して、ステップＳ４０１において着信情報呼出信号を送信してきた外部装置に対して着信情報呼出応答信号を返信する（ステップＳ４０５）。外部装置は、返信された着信情報呼出応答信号に含まれるページングエリアについての情報に基づき、セクタ識別子で識別されるセクタに向けてページング信号を送信し、ページング処理を行う。
ＶＬＲ３０が着信情報呼出信号を受信した場合の処理手順は、上述したＨＬＲ２０が着信情報呼出信号を受信した場合の処理手順と同様であるため、重複した説明を省略する。
【００５４】
（位置情報変換処理）
次に、図１０を参照して、位置情報変換部１１が行う位置情報変換処理の詳細について説明する。ＧＰＳ位置情報は緯度経度で表されているため、時系列位置情報管理部１２で管理される最新の位置情報がＧＰＳ位置情報である場合に、ページング処理を行うためにＧＰＳ位置情報を位置登録エリア情報に変換することにより、ページングエリアを特定する必要がある。
【００５５】
位置情報変換部１１は、変換テーブル１７を用いて、ＧＰＳ位置情報がどの位置登録エリアに含まれているかを判定する。
図１０に示す例では、時系列位置情報管理部１２は、最新の位置情報として、10月29日15:30に登録されたＧＰＳ位置情報Ｌ１「N35.13.32.19、E139.39.48.10」を管理している（図１０（ａ）参照）。この最新のＧＰＳ位置情報Ｌ１は、中心のＧＰＳ位置情報が「N35.13.32.21、E139.39.48.10」、かつ、エリア半径ｒが「１００ｍ」で識別されるセクタ（セクタ番号が“２５８”のセクタ）に含まれている（図１０（ｂ）、変換テーブル１７参照）。
【００５６】
また、この最新のＧＰＳ位置情報Ｌ１は、変換テーブル１７から、中心のＧＰＳ位置情報が「N35.13.32、E139.39.48」、かつ、エリア半径ｒが「１ｋｍ」で識別されるＬＡ（ＬＡＩが“１”のＬＡ）に含まれていることが判る。このため、位置情報変換部１１は、ＧＰＳ位置情報Ｌ１「N35.13.32.19、E139.39.48.10」を、セクタ番号“２５８”とＬＡＩ“１”とに変換する。このセクタ番号“２５８”は、ページング処理を行うための最小のページングエリアを表すこととなる。
【００５７】
（ページング処理）
次に、図１１を参照して、位置情報統合管理システムが行うページング処理について説明する。
まず、他ネットワークからの呼接続要求（着信）時に、Ｇ−ＭＳＣ４０はＨＬＲ２０に着信情報呼出信号を送信する（ステップＳ５０１）。
ＨＬＲ２０は着信情報呼出信号を受信すると、位置情報統合管理装置１０に位置情報問合せ信号を送信する（ステップＳ５０２）。
位置情報統合管理装置１０のページングエリア特定部１４は、時系列位置情報管理部１２が管理しているデータベースから最新の位置情報を取得する。取得した最新の位置情報がＧＰＳ位置情報であった場合には、ページングエリア特定部１４は、当該ＧＰＳ位置情報を、位置情報変換部１１により位置登録エリア情報（ＬＡＩ／ＲＡＩ、ＲＮＣ−ＩＤ及びセクタ番号）に変換する。
【００５８】
ページングエリア通知部１５は、ページングエリア特定部１４が特定したページングエリアを示す位置登録エリア情報を位置問合せ応答信号に設定して、当該位置問合せ応答信号をＨＬＲ２０に返信する（ステップＳ５０３）。
ＨＬＲ２０は、通知された位置登録エリア情報をページング信号（着信情報呼出信号）に設定して送信する（ステップＳ５０４）。当該ページング信号は、設定された情報に基づいて、Ｌ−ＭＳＣ５０、ＲＮＣ６０、ＢＳ７０へと順次転送され、セクタ番号で識別されるセクタにおいてスポット的にページング処理が行われる（ステップＳ５０５、Ｓ５０６）。このように、移動通信網で管理されている最小単位のエリアであるセクタでのページング処理を行うことができるため、効率的なページング処理を行うことが可能となる。
【００５９】
以上説明したように、位置登録処理やＧＰＳ位置情報取得処理が発生した時に、位置登録エリア情報とＧＰＳ位置情報との表現形式の異なる位置情報を時系列位置情報管理部１２によって統合的に管理し、着信時に時系列位置情報管理部１２で管理されている最新の位置情報を容易に取得できるようにしたため、ＧＰＳ位置情報をページングエリアの特定に利用することができ、位置情報管理及びページング処理の効率化を図ることが可能となる。
【００６０】
また、時系列位置情報管理部１２が管理する位置登録エリア情報や変換テーブル１７にセクタ識別子を含めることができるようにしたため、最小のページングエリアを特定し、効率的なページング処理を行うことができる。
また、移動端末８０の移動状況によってページングエリアの大きさを変化させるようにしたため、ページングエリアを小さい範囲に限定しながらも、移動端末８０の移動状況によって最適な大きさのページングエリアを特定することが可能となる。
【００６１】
また、移動端末８０の移動状況に基づいて、移動端末８０の位置情報が取得される周期を変化させるようにしたため、時系列位置情報管理部１２は、移動端末８０の移動状況に応じて、適切なページングエリアを特定するための位置情報を取得し管理することができる。
なお、上述した実施形態においては、位置情報統合管理装置１０は、１つの装置で構成されているとして説明したが、複数の装置で構成されていてもよい。また、位置情報統合管理装置１０が備える時系列位置情報管理部１２の機能や位置情報変換部１１の機能を、ＨＬＲ２０、ＶＬＲ３０、又は、Ｌ−ＭＳＣ５０が備えていてもよい。
【００６２】
また、上述した実施形態においては、位置登録処理時の位置情報登録信号にセクタ識別子を追加して、時系列位置情報管理部１２がセクタ識別子を管理するとして説明したが、時系列位置情報管理部１２がＬＡＩ／ＲＡＩのみを管理するようにしてもよい。この場合でも、変換テーブル１７にＧＰＳ位置情報とセクタとの対応関係を登録しておくことによって、ＧＰＳ位置情報をセクタ識別子に変換し、ページングエリアをセクタ単位で特定することができるため、従来よりも小さいページングエリアを特定することが可能となる。
【００６３】
なお、上述した実施形態においては、位置登録エリアの最小単位がセクタであるとして説明したが、さらに小さい位置登録エリアの単位が存在する場合には、その情報を時系列位置情報管理部１２や変換テーブル１７において管理するようにすればよい。
また、上述した実施形態においては、位置登録エリアは、中心の緯度経度と半径とで表される、すなわち、円で表されるとして説明したが、これは一例に過ぎず、例えば、位置登録エリアは６角形や楕円で表されてもよい。
【産業上の利用可能性】
【００６４】
移動端末の位置登録エリア情報とＧＰＳ位置情報とを統合的に管理し、ＧＰＳ位置情報を利用した効率的なページング処理に用いることができる。
【図面の簡単な説明】
【００６５】
【図１】本発明の実施の形態に係る位置情報統合管理システムの全体構成を示す図である。
【図２】同実施の形態に係る位置情報統合管理装置の機能構成を示すブロック図である。
【図３】同実施の形態に係る変換テーブルのデータ構成の一例を示す図である。
【図４】同実施の形態に係る時系列位置情報管理部及び移動状況管理部により管理される情報の一例を示す図である。
【図５】同実施の形態に係る時系列位置情報管理部が、移動端末の位置情報を取得して管理する手順を説明するための図である。
【図６】同実施の形態に係る位置登録処理を説明するための図である。
【図７】同実施の形態に係るＧＰＳ位置情報の登録処理を説明するための図である。
【図８】同実施の形態に係る移動状況管理について説明するための図である。
【図９】同実施の形態に係る着信情報呼出信号受信時の処理手順を説明するための図である。
【図１０】同実施の形態に係る位置情報変換処理を説明するための図である。
【図１１】同実施の形態に係るページング処理を説明するための図である。
【符号の説明】
【００６６】
１０    位置情報統合管理装置
１１    位置情報変換部
１２    時系列位置情報管理部
１３    移動状況管理部
１３１  加速度情報管理機能
１３２  移動速度情報管理機能
１４    ページングエリア特定部
１５    ページングエリア通知部
１６    アクセスインタフェース部
１７    変換テーブル
１８    位置登録周期変更部
１９    位置登録周期管理部
２０    ＨＬＲ
３０    ＶＬＲ
４０    Ｇ−ＭＳＣ
５０    Ｌ−ＭＳＣ
６０    ＲＮＣ
７０    ＢＳ
８０    移動端末
９０    ＧＭＬＣ
【図１】
2006211335.tif 000003
【図２】
2006211335.tif 000004
【図３】
2006211335.tif 000005
【図４】
2006211335.tif 000006
【図５】
2006211335.tif 000007
【図６】
2006211335.tif 000008
【図７】
2006211335.tif 000009
【図８】
2006211335.tif 000010
【図９】
2006211335.tif 000011
【図１０】
2006211335.tif 000012
【図１１】
2006211335.tif 000013